(57)【要約】【課題】DVD規格と互換性を有しつつ再生専用貯蔵領域と記録可能な貯蔵領域とを同時に有する光記録媒体を提供する。【解決手段】光記録媒体において、  再生専用貯蔵領域を含む第１記録層と、記録可能な貯蔵領域を含む第２記録層を含み、  前記第１記録層の入射面を通じて前記第１記録層及び前記第２記録層にデータが記録されるとともに、前記第１記録層及び前記第２記録層からデータが再生されることを特徴とする。【選択図】図４
2010231882.tif 000002
【特許請求の範囲】
【請求項１】
光記録媒体において、
再生専用貯蔵領域を含む第１記録層と、
記録可能な貯蔵領域を含む第２記録層を含み、
前記第１記録層の入射面を通じて前記第１記録層及び前記第２記録層にデータが記録されるとともに、前記第１記録層及び前記第２記録層からデータが再生されることを特徴とする光記録媒体。
【請求項２】
前記第１記録層のリードイン領域は前記光記録媒体が前記再生専用貯蔵領域と記録可能な貯蔵領域を含むハイブリッド媒体であることを示す識別子を含むことを特徴とする請求項１に記載の光記録媒体。
【請求項３】
光記録媒体にデータを記憶する装置において、
再生専用貯蔵領域を含む第１記録層と、記録可能な貯蔵領域を含む第２記録層を含む前記光記録媒体にデータを伝達するために光を照射するとともに受信するピックアップと、
前記第１記録層の入射面を通じて前記第１記録層及び前記第２記録層にデータを記録するように前記ピックアップを制御するコントローラを含むことを特徴とする装置。
【請求項４】
前記第１記録層のリードイン領域は前記光記録媒体が前記再生専用貯蔵領域と記録可能な貯蔵領域を含むハイブリッド媒体であることを示す識別子を含むことを特徴とする請求項３に記載の記録装置。 
【請求項５】
光記録媒体からデータを再生する装置において、
再生専用貯蔵領域を含む第１記録層と、記録可能な貯蔵領域を含む第２記録層を含む前記光記録媒体にデータを伝達するために光を照射するとともに受信するピックアップと、
前記第１記録層の入射面を通じて前記第１記録層及び前記第２記録層からデータを読み出すように前記ピックアップを制御するコントローラを含むことを特徴とする装置。
【請求項６】
前記第１記録層のリードイン 領域は前記光記録媒体が前記再生専用貯蔵領域と記録可能な貯蔵領域を含むハイブリッド媒体であることを示す識別子を含むことを特徴とする請求項５に記載の再生装置。
【発明の詳細な説明】
【技術分野】
【０００１】
本発明は再生専用貯蔵領域と記録可能な貯蔵領域とを有する記録媒体とその記録/再生装置に係り、特にDVD(Digital Versatile Disc)規格による再生専用貯蔵領域と記録可能なDVD規格とが物理的な互換性を有する記録可能な貯蔵領域を有する記録媒体及びその記録/再生装置に関する。
【背景技術】
【０００２】
一般に、再生専用光記録媒体は金型を用いて射出によって生産するが、情報がピットという凹凸状に構成されていて金型上に使用者情報が記録され、射出時の情報も転写される特性を有し、フロッピーディスク（登録商標）または磁気記録媒体に情報を記入して配布する場合に比べて生産効率を高められるという長所を有している。
【０００３】
しかし、使用者がデータを記録できない特性によって、データの頻繁な修正及び追加などが要求される百科辞典またはカラオケ用音楽データを記録するなどの応用例ではデータの修正/追加が不可能な問題点がある。
【０００４】
一方、DVD規格のうち、DVD-ROM(Digital Versatile Disc Read Only Memory)規格(DVD Specification for read only memory Part １ version １.０)でかかる再生専用ディスク規格を規定しており、DVD-RAM(Digital Versatile Disc Random Access Memory)規格(DVD Specification for rewritable Part１)、DVD-R(Digital Versatile Disc Recordable)規格(DVD Specification for Recordable Part１)、DVD-RW規格(DVD Specification for re-recordable Part１)のような規格を通じて使用者が使用者データを記録しうるディスクの規格を備えている。
【０００５】
しかし、再生専用規格と記録可能な規格とを共に有するディスクに関する規格はないために再生専用ディスクの特徴である同一な内容の大量複製が容易であるとの長所は生かしつつ、記録可能なディスクの特徴である内容の修正または追加などの要求条件は満たしていない。
【０００６】
このような条件を満たす光ディスクを新たに提示する場合には既存の規格による記録/再生装置との互換性を満たさなければならない。すなわち、既存の記録/再生装置はかかる２つの特徴を有する媒体についての考慮がされていないために互換性を有させるのが重要である。
【０００７】
この場合、１つのディスク上の特定の領域の特性が変わることによって、完全な互換性が持てないということは明白である。互換性というのは、まず再生専用媒体の特性を尊重して再生専用貯蔵領域に対しては既存の再生専用装置で互換性を持って再生可能にするが、記録可能な貯蔵領域に対しては使用者がディスクを使用する間にデータをさらに記録または更新する状況であることを考慮して既存の記録可能な規格と最大限物理的な記録/再生特性上の互換性を考慮することを意味する。
【０００８】
また、再生専用貯蔵領域と記録可能な貯蔵領域とを同時に有する光記録媒体の場合、各々再生専用貯蔵領域のみを有する媒体または記録可能な貯蔵領域のみを有する媒体との互換性を保つのが望ましい。
【発明の概要】
【発明が解決しようとする課題】
【０００９】
前記問題点を解決するための本発明の目的は、DVD規格と互換性を有しつつ再生専用貯蔵領域と記録可能な貯蔵領域とを同時に有する光記録媒体を提供することである。
【００１０】
本発明の他の目的は、再生専用貯蔵領域と記録可能な貯蔵領域を有し、DVD規格との互換性のために再生専用貯蔵領域に記録可能な貯蔵領域のための制御情報が共に記録された光記録媒体を提供することである。
【００１１】
本発明のさらに他の目的は、DVD規格と互換性を有する再生専用貯蔵領域と記録可能な貯蔵領域とを同時に有する光記録媒体を記録/再生する装置を提供することである。
【課題を解決するための手段】
【００１２】
前記目的を達成するために本発明に係る光記録媒体において、再生専用貯蔵領域を含む第１記録層と、記録可能な貯蔵領域を含む第２記録層を含み、前記第１記録層の入射面を通じて前記第１記録層及び前記第２記録層にデータが記録されるとともに、前記第１記録層及び前記第２記録層からデータが再生されることを特徴とする。
【００１３】
本発明は、光記録媒体にデータを記憶する装置において、再生専用貯蔵領域を含む第１記録層と、記録可能な貯蔵領域を含む第２記録層を含む前記光記録媒体にデータを伝達するために光を照射するとともに受信するピックアップと、前記第１記録層の入射面を通じて前記第１記録層及び前記第２記録層にデータを記録するように前記ピックアップを制御するコントローラを含むことを特徴とする。
【００１４】
本発明は、光記録媒体からデータを再生する装置において、再生専用貯蔵領域を含む第１記録層と、記録可能な貯蔵領域を含む第２記録層を含む前記光記録媒体にデータを伝達するために光を照射するとともに受信するピックアップと、前記第１記録層の入射面を通じて前記第１記録層及び前記第２記録層からデータを読み出すように前記ピックアップを制御するコントローラを含むことを特徴とする。
【発明の効果】
【００１５】
本発明は現在のDVD-ROM規格で決められている再生専用記録規格と互換性とを有する再生専用貯蔵領域とDVD-RAM規格等で決められている記録可能な媒体との記録/再生特性が同一な記録可能な貯蔵領域を同時に有する複数の記録/再生特性を有する光記録媒体を提供することによって再生専用貯蔵領域のデータを記録可能な貯蔵領域を用いて任意修正及び変更、追加などを行える効果がある。また、本発明ではかかる複合ディスク媒体の効率的な製造方法を提示している。
【図面の簡単な説明】
【００１６】
【図１】従来のDVD-ROM規格のディスクの断面図である。
【図２】従来の相異なる特性の２つのデータ貯蔵領域を有している光ディスク媒体の構成を示す図面である。
【図３】本発明の理解のための記録可能な光記録媒体の記録層の構造を示す図面である。
【図４】本発明に係る再生専用貯蔵領域と記録可能な貯蔵領域とを有する光記録媒体の構造を示す例である。
【図５】本発明に係る再生専用貯蔵領域と記録可能な貯蔵領域とを有する光記録媒体の構造を示す例である。
【図６】本発明に係る再生専用貯蔵領域と記録可能な貯蔵領域とを有する光記録媒体の構造を示す例である。
【図７】本発明に係る再生専用貯蔵領域と記録可能な貯蔵領域とを有する光記録媒体の構造を示す例である。
【図８】本発明に係る再生専用貯蔵領域と記録可能な貯蔵領域とを有する光記録媒体の構造を示す例である。
【図９】本発明に係る再生専用貯蔵領域と記録可能な貯蔵領域とを有する光記録媒体の構造を示す例である。
【図１０】本発明に係る光記録媒体のリードイン領域の制御情報フォーマットを示す図面である。
【図１１】図１０に示された複合(Hybrid)ディスク識別情報の構造を示す図面である。
【図１２】本発明の理解のための、記録可能な規格を有する媒体のリードイン領域の情報構造を示す図面である。
【図１３】本発明の理解のための、再生専用規格を有する記録媒体のリードイン領域の情報構造を示す図面である。
【図１４】本発明に係る光記録媒体を使用する記録/再生装置のブロック図である。
【発明を実施するための形態】
【００１７】
以下、添付した図面に基づき、本発明に係る光記録媒体とその記録/再生装置の望ましい実施例を説明する。
【００１８】
まず、本発明の理解のためにDVD-ROM規格によるディスクの構造を詳しく説明する。
【００１９】
図１は従来の２層構造を有するDVD-ROM規格によるディスクの断面を示している。光ディスク１０はDVD-ROM規格によって第１及び第２基板１２、１４で構成されている。情報層１６、１８は第１及び第２基板１２、１４上に各々形成されており、第１及び第２基板１２、１４は情報層１６、１８に各々対向して構成されている。読出レーザービームが入射される基板の周辺にある情報層１６は第１記録層となり、下方に位置した情報層１８は第２記録層となる。
【００２０】
このように構成された光ディスク１０は最内周部分にリードイン領域(図示せず)と最外周部分にリードアウト領域(図示せず)またはミドル領域を有していて各種の制御情報及びディスクの物理的な特性に関する情報を貯蔵しているだけでなく、内周部分及び外周部分のデータを安定して読出せるように支援する役割などを行っている。
【００２１】
一般に、再生専用ディスクはスタンパと呼ばれる金型に凹凸状のピットとして情報が形成されたことをポリカーボネート樹脂材に射出を用いて転写する方法を通じて成形を行う。射出成形された後、情報面にはアルミニウムのように光を反射する特性を有する物質を蒸着して反射膜を形成する。
【００２２】
DVD-ROM(光ディスク１０)は前記方法で成形された０.６mmの厚さの２枚のディスク(第１及び第２基板１２、１４)を接合して最終的に１.２mmの厚さを有するディスクを形成することになる。この際、１つの基板は記録層を有しないこともあり、それぞれの基板が２層の記録層を有することもある。また、それぞれの第１及び第２基板が１つずつの記録層を有する場合、一方でのみ読出すように構成すれば２層構造の光ディスク１０と称し、両面で各々１層ずつ読出可能に構成すれば両面光ディスク１０と称する。
【００２３】
一方、再生専用ディスクは前述したようにスタンパに入っている情報をポリカーボネート樹脂材に射出成形する方法を通じて情報を記録するために一々記録すべき磁気記録媒体または記録可能な記録媒体上に情報を記録するのに比較して短時間に情報が形成できて同じデータを大量複製しなければならない映画やコンピュータ用のゲームのように同一なデータを配布するための目的に好適である。
【００２４】
図２に示された光ディスクは２つの相異なる特性のデータ貯蔵領域を有している光ディスク貯蔵媒体２０の構成を示す図面である。ディスクの第１記録領域２６には７８０nmのレーザーで再生可能なデータが記録され、第２記録領域２７には６３５nmのレーザーで再生可能なデータが記録されている媒体を示している。２２はCDのための標準密度情報層、２３はDVDのための高密度情報層、２４は第２基板層、２５は第１基板層、２６は７８０nmのレーザーで再生可能な効果を有する領域、２７は６３５nmのレーザーで再生可能な効果を有する領域を示している。図２に示された２層高密度ディスク２０については１９９６年９月４日、“Optical information carrier including standard and highdensity layers”という名称で出願した米国特許５,７３２,０６５号に開示されている。
【００２５】
図３は一般の記録可能な光記録媒体の記録層３０の構造を示している。DVD-RAMのように記録可能な媒体の製造時にはディスク上に使用者データを記録しないために常に同一なスタンパを使用して基板を作れるという特徴がある反面、再生専用媒体で単に反射膜のみを形成するのに比べて使用者がデータを記録可能にしなければならないために、基板４２上に複数層からなる複雑な記録膜(図面では、誘電体膜３４、記録膜３６、誘電体膜３８、反射膜４０)を形成しなければならない。DVD-RAMやDVD-RWの場合には、記録層３６が物質上の変化、すなわち非晶質と結晶状態の変化を用いて記録可能にするための多層構造からなる記録膜を有している。
【００２６】
このような既存のDVD規格が各々再生専用媒体と記録可能な媒体に対して各々存在している状況でDVD規格に準じる再生専用貯蔵領域と記録可能な貯蔵領域とを同時に有する記録媒体(以下、複合(Hybrid)ディスクという)を規定する場合、既存の規格との互換性が問題となるのは前述したようである。ここで、記録可能な(writable)は、DVD-Rではrecordable、DVD-RAMではrewritable、DVD-RWではRerecordableと称しうる。
【００２７】
このような互換性問題を解決する方案として、２つの特性を有する記録媒体の主な使用用途を説明すれば、再生専用媒体の特徴である大量複製の容易さを用いて同一な内容を大量供給しうる特徴を生かし、また記録可能な媒体の特徴を生かして修正/追加される内容を記録または更新する機能を考慮する際、特に互換性が重要な部分は再生専用貯蔵領域と言える。
【００２８】
また、ディスクの物理的な空間を分割して特定の空間は再生専用貯蔵領域に、特定の空間は記録可能な貯蔵領域に割り当てて使用するためにディスク空間の物理的な特性が１種の貯蔵領域だけを有するディスクとは変わるという点を考慮すれば、既存の規格との完全な互換性は得られないという点は明白でなる。
【００２９】
したがって、本発明において互換性ということは、再生専用貯蔵領域は既存の再生装置で再生可能に互換性を有し、記録可能な貯蔵領域は既存の記録可能な媒体の記録/再生特性上の互換性を有することによって記録可能な領域に記録、修正または再生しなければならない記録/再生装置に必要な付加回路を最小限に減らすことが望ましい。これによって、少なくとも既存の再生装置で再生専用貯蔵領域に貯蔵されている使用者データを再生可能になることによって既存のDVD-ROMのような用途として使用でき、本発明による複合ディスクを記録/再生する記録/再生装置は再生専用貯蔵領域に貯蔵されているデータを記録可能な貯蔵領域を用いて修正または追加するなどの作業ができるために既存のDVD再生装置に比べて拡張性を保障しうる。
【００３０】
このような互換性に関する要求を考慮した望ましい一実施例が図４に示されている。図４にはハイブリッドディスク４０の一部が示されている。まず、既存のDVD-ROM規格で使用者データを記録可能なデータ領域４２はデータ領域が始まる開始直径を４８mmとし、最大１１６mm(１２０mmのディスクの場合)または最大７６mm(８０mmのディスクの場合)まで記録可能になっている。すなわち、開始直径は決められているがデータ領域が終了位置の直径は決められておらず、範囲として与えられている。
【００３１】
したがって、データ領域の開始直径を４８mmとし、終了位置を４８mmより大きく１１６mm(または８０mmの場合７６mm)より小径間の位置に設定し、て再生専用データが記録されない残り部分のうち制御情報を記録するための情報領域(Information area)を除いた残り部分には記録可能な貯蔵領域を配置する場合、既存のDVD-ROMとの最大限の互換性が得られる。
【００３２】
この際、DVD-RAMの場合、記録領域をZCLV(zoned continuous linear velocity)方式を使用して複数の地域(zone)に区分しておいたことを勘案すれば少なくともDVD-RAM規格で定義している１つの地域の大きさに該当する領域を記録可能な貯蔵領域に割り当てることが望ましい。
【００３３】
これは、既存のDVD-RAMの場合、ディスクの回転速度、欠陥管理などの多数の制御情報が地域の大きさ及び位置と密接に関連しており、特にディスクの回転速度を地域と連係づけておいただけでなく、ディスクの回転速度は相変化記録媒体の記録特性とも密接な関係を有しているために既存のDVD-RAMとの物理的な記録特性に関する互換性を保つためには、再生専用貯蔵領域と記録可能な貯蔵領域とを地域の割当を考慮して配分することが望ましい。
【００３４】
また、既存のDVD-ROM規格では、２層構造のディスクを定義していて図４に示されたようにハイブリッドディスク４０の内周側には最大限２層のDVD-ROM規格による再生専用貯蔵領域４４を配置し、再生専用貯蔵領域の外側の外周側には記録可能な単層構造の貯蔵領域５０を配置することが望ましい。
【００３５】
記録可能な貯蔵領域５０の場合、既存の規格で単層構造のみを規約しているために、同一な構造を考慮すれば第１基板５２上の第１記録層(Layer０)４６に記録可能な貯蔵領域５０を配置することが望ましい。これは記録可能な媒体の場合には、多層記録膜の構造からなっていて記録膜を形成する基板と記録膜の各層の順序がレーザービームの入射面から見た時、順序が変われば熱伝逹特性などの変化によって記録特性が変わる可能性があるからである。
【００３６】
また、図４に示されたハイブリッドディスク４０の構造は２層再生専用貯蔵領域４４を定義することによって記録可能な貯蔵領域を有しつつ２層再生専用貯蔵領域４４を活用して最も一般化されているDVD-ROMのサイズである４.７Gbytesの容量を実現しうる。
【００３７】
図５は本発明に係る光記録媒体の第２実施例であって、第１基板６２の内周側には何らの貯蔵領域を配置していない透明層６６を具備し、外周側には記録可能な貯蔵領域５０を形成する。一方、第２基板５４の内周側には再生専用貯蔵領域６４に第２記録層(Layer１)４８を形成するが、第１基板６２に形成された記録可能な貯蔵領域５０と空間的に分離されるように形成している。
【００３８】
このような方法によって、２枚の記録媒体、すなわち、再生専用貯蔵領域６４のみを有する第２基板５４と記録可能な貯蔵領域５０を有する第１基板６２を用いた光記録媒体を接合し、再生専用貯蔵領域６４と記録可能な貯蔵領域５０とを共に有する光記録媒体６０を形成することいよって、再生専用貯蔵領域と記録可能な貯蔵領域とを有する光記録媒体を形成することによって、記録可能な媒体のための工程と再生専用媒体のための工程とが分離でき、再生専用貯蔵領域６４を有する第２基板６２を生産するためのスタンパと記録可能な貯蔵領域５０を有する第１基板６２を生産するためのスタンパとを別に使用するために、再生専用貯蔵領域に記録するデータの内容が変わっても記録可能な媒体を生産するためのスタンパを変更する必要がなく、再生専用媒体の場合には不要な記録膜を形成する工程を経なくても良い。
【００３９】
また、記録可能な媒体を生産しない再生専用ディスクのみを生産する企業も記録可能な貯蔵領域を有する媒体を購入して再生専用貯蔵領域を有する媒体と接合する工程だけを有することによって記録可能な貯蔵領域と再生専用貯蔵領域を有する媒体を生産しうる。
【００４０】
図６は本発明に係る光記録媒体の第３実施例であって、唯一の再生専用貯蔵領域７４を第１基板５２の内周側に配置し、第１基板５２の外周側には記録可能な貯蔵領域５０を配置している。こうして、１枚の基板だけで２つの相異なる特徴を有する再生専用貯蔵領域７４と記録可能な貯蔵領域５０を有するハイブリッドディスク７０とを構成しうる。
【００４１】
この場合、再生専用貯蔵領域７４の立場では不要な記録膜を形成する過程を経なければならないが、再生専用貯蔵領域７４は記録可能な貯蔵領域５０のための記録膜を形成する間にマスク(図示せず)を使用して記録層７６が形成されないようにした後、最終反射層(図示せず)を形成する時にマスクを除去し、反射層を形成する方法を通じてハイブリッドディスク７０を構成しうる。第２基板８４は再生専用貯蔵領域７４と記録可能な領域５０にダミー記録層５８を有している。従って、データはダミー記録層５８の全体に記録されない。このような製造工程を使用する方法によって１枚のスタンパだけで再生専用貯蔵領域７４と記録可能な貯蔵領域５０を有する複合ディスクを生産しうる。
【００４２】
図７は本発明に係る光記録媒体の第４実施例であって、それぞれの第１基板１０２と第２基板１０４の内周側に２層構造の再生専用貯蔵領域９２を２P(Photopolymerization)工法を使用して形成し、外周側にはDVD-RAMのように記録可能な規格と同一な記録/再生特性を有する記録可能な貯蔵領域１００を形成している。この場合、第１基板１０２に形成された第１記録層１０６ LAYER０は第１基板１０２の入射面から記録/再生され、第２基板１０４に形成された第２記録層１０８ LAYER１は第２基板１０４の入射面から記録/再生される。このような構造のハイブリッドディス９０において、一部貯蔵領域のための記録層は省ける。例えば、第１基板１０２上には単層の再生専用貯蔵領域のみを形成しても、第２基板１０４上には記録可能な貯蔵領域を形成しなくても良い。
【００４３】
図８は本発明に係る光記録媒体の第５実施例であって、ハイブリッドディスク１１０が示される。ハイブリッドディスク１１０の構造は図４に示された構造と同一であり、但し記録可能な貯蔵領域１２０を２層構造(第１記録層４６と第２記録層４８の記録可能な領域１２０)からなって各々第１基板５２の外周側と第２基板１１４の外周側に配置して記録及び再生動作を第１基板５２の入射面を通じて行う構造を示している。この場合、２層記録による記録/再生特性が単層の記録可能な貯蔵領域の記録/再生特性と異なるために記録/再生装置が複雑になる問題があるが、記録可能な領域のデータ容量を大きくし得る。
【００４４】
図９はハイブリッドディスク１３０を示す本発明に係る光記録媒体の第６実施例であって、第１基板１４２上の全面にわたって再生専用貯蔵領域１３４を形成し、第２基板１４４の全面にわたって記録可能な貯蔵領域１５０を形成している。再生専用貯蔵領域１３４は第１記録層１４６、LAYER０に形成され、記録可能な貯蔵領域１５０は第２基板１４４上に形成される。このような構成は再生互換性及び記録特性の変更による記録互換性は劣ることがあるが、前述したように記録可能な媒体と再生専用媒体とを別の工程を通じて生産できるとの長所と大容量の記録が可能であるとの長所を同時に有しうる。
【００４５】
記録可能な貯蔵領域１５０を第２基板１４４に形成して再生専用貯蔵領域１３４を第１基板１４２上に形成する場合、既存の技術と最も近い方法で第１基板１４２の入射面(すなわち両面でそれぞれを読出/書込む方式でない)から２種の記録層を同時に読出/記録しうるハイブリッドディスク１３０の構成が可能である。
【００４６】
もし、記録可能な貯蔵領域１５０を第１基板１４２上に形成する場合、記録可能な貯蔵領域１５０のための記録層を反透過層にしなければならず、第２基板１４４に形成されている再生専用貯蔵領域１３４を読出す場合に第１基板１４２上に形成された第２記録層１４８による再生レーザーパワーの減少を補償するためにさらに高い再生パワーで再生しなければならない。この場合、第１記録層１４６のデータが干渉を起こして消されたり、変形される恐れがある。本発明に係る図９に示された構造は、かかる問題点を最小限に減らしつつ記録可能な貯蔵領域を大きくし得る。
【００４７】
一方、図１０は本発明に係る光記録媒体の記録/再生装置における正しい再生のための制御情報を示している。
【００４８】
本発明に係る再生専用貯蔵領域と記録可能な貯蔵領域とを共に有している複合ディスク媒体の場合、前述したように再生専用貯蔵領域が既存のDVD-ROMと互換性を有するように構成されている。このような場合、既存のDVD再生装置では問題ないが、記録可能な貯蔵領域に対して記録/再生動作が行える記録/再生装置では既存のDVD-ROM媒体と区分しうる識別子が必要である。このような識別情報は媒体のリードイン領域に特定の情報を付加えることによって解決されうる。
【００４９】
このような特定の付加情報は既存のDVD-ROMのみを認識しうるDVD再生装置との互換性のために、規格書の種類を示す情報(Book type)と規格書の改正番号等が含まれている既存の制御データ領域の物理規格情報のBP０のような情報を新たな媒体に合わせて修正を行えば互換性を失う恐れがあるために、制御データ領域の物理規格情報を使用せずに予備バイトを用いて記録することが望ましい。
【００５０】
特に、物理規格情報のうち１７番目のバイトから３２番目バイトまでをDVD-ROMでは使用していないために他の記録規格でも使用しない一部バイトを使用して再生専用貯蔵領域と記録可能な貯蔵領域とを有する複合ディスク(Hybrid disc)であることを表示する識別子情報を記録しうる。このような識別子情報には、図１１に示されたように、複合ディスクであることを示す記録可能な貯蔵領域の存否を示す情報と、該複合ディスク規格の改正番号情報などを有しうる。
【００５１】
また、既存のDVD-ROMのリードイン情報と記録可能な媒体、すなわち、DVD-RAM等の記録規格のリードイン情報を比較すれば、記録可能なリードイン情報がDVD-ROMのリードイン情報で使われるフィールドを全て含んでおり、DVD-ROMのリードイン情報は１６バイトのみを使用しており、残りバイトは全て予備されている状態である。
【００５２】
一方、記録可能な媒体の場合には、リードイン情報に媒体の記録特性などを記録するために多くの情報領域を割当てている。またDVD-RAMのリードイン情報の場合、記録密度がDVD-ROMディスクとは異なって構成されている。
【００５３】
したがって、複合ディスクの場合、図１０に示されたように再生専用貯蔵領域のためのリードイン領域、再生専用貯蔵領域の使用者データ領域、再生専用貯蔵領域のためのリードアウト領域、記録可能な貯蔵領域のためのリードイン領域の順に再生して行く時、データ伝送速度とスピンドルモーターの回転速度に差が発生してデータの記録/再生速度を低下させうる。したがって、このような問題を解決するために複合ディスクの場合には、再生専用貯蔵領域のためのリードイン領域に記録可能な貯蔵領域に該当する制御データ領域の物理規格情報を共に記録しておくことが望ましい。
【００５４】
この場合、現在２０４８バイトが割当てられている物理規格情報のうち使われていない１０２４番目のバイトから記録可能な貯蔵領域のための物理規格情報を記録することによって記録可能な媒体のリードイン領域に該当する情報を省けるために伝送速度及びスピンドルモータの回転速度の差による記録/再生時間の遅延現象を防止しうる。
【００５５】
図１０は再生専用貯蔵領域のリードイン領域に制御データゾーンが物理的フォーマット情報、ディスク製造情報及び残したバイトを含むということを示す。物理的フォーマット情報はBP０バイトからBP２０４７バイトを含む。BP０はブックタイプ(DVD-ROMディスク、DVD-RAMディスク)及びパートバージョンを含む。本発明において、ブックタイプは従来のDVD-ROM再生基により読取可能にする“DVD-ROM”である。BP０からBP１６はDVD-ROMのための物理的フォーマット情報、例えば、再生専用貯蔵領域を含む。BP１７からBP１８は、図１１に示されたように、ハイブリッドディスク確認情報を含む。B１９からBP１０２３は残したバイトである。BP１０２４からBP２０４７はDVD-RAMのための物理的フォーマット情報、例えば、記録可能な貯蔵領域を含む。
【００５６】
また、図１２に示されたように記録可能な規格のうちDVD-RAMの場合、リードイン領域のピットとして情報が形成されているリードイン領域の情報構造は図１３に示されたようにDVD-ROMの情報構造と同一に構成されている。すなわち、基準符号、バッファゾーン、初期領域のような領域が同一な大きさと同一なデータ値とから構成されている。但し、制御データ領域の一部情報が相異なって構成されていることを勘案すれば該当２つのリードイン領域は完全に１つの情報にまとめられることを意味する。
【００５７】
このように２つのリードイン情報を再生専用貯蔵領域のためのリードイン情報に統合する場合、記録可能な貯蔵領域のリードイン領域には再生専用貯蔵領域と記録可能な貯蔵領域とを連結させるための連結地域と記録可能な貯蔵領域だけのためのリードイン領域、すなわち欠陥管理情報、ドライブテスト地域などを有すれば良い。
【００５８】
また、記録可能な貯蔵領域だけのためのリードイン領域は記録可能な領域に構成されており、連結地域は何らの情報なしに反射膜だけで構成されたミラー領域からなっていて再生専用貯蔵領域と記録可能な貯蔵領域との間の不要な空間を最小化しうる。
【００５９】
図１４は本発明に係る光記録媒体を記録/再生する記録/再生装置のブロック図である。
【００６０】
記録時、AVコデック及び/またはホストインターフェース２１０は外部から入力されるA/V信号を所定の圧縮体系により圧縮符号化し、圧縮されたデータに関する大きさ情報を提供する。DSP(Digital Signal Processor)２２０はAVコデック及び/またはホストインターフェース２１０から供給される圧縮されたA/Vデータを受信してECC(Error Correction Code)処理のための付加データを付加え、所定の変調体系により変調などを行う。高周波増幅器(RF AMPで表されている)２３０はDSP２２０から供給される変調されたデータをRF信号に変換する。ピックアップ部２４０はRF AMP２３０からのRF信号をピックアップ部２４０のターンテーブル上に装着されたディスク(ハイブリッドディスク４０、６０、７０、９０、１３０)の記録可能な貯蔵領域に記録する。サーボ部２５０はシステムコントローラ２６０からサーボ制御に必要な情報を受信して装着されたディスクのためのサーボ機能を安定に行える。
【００６１】
特に、システムコントローラ２６０は再生専用貯蔵領域と記録可能な貯蔵領域とを有する複合ディスクであることを表示する識別情報を生成し、生成された識別情報がDSP２２０、RF AMP２３０を通じて再生専用貯蔵領域のためのリードイン領域に記録されるように制御する。
【００６２】
ディスク上に貯蔵されたデータの再生時、ピックアップ部２４０はデータが貯蔵されている再生専用貯蔵領域と記録可能な貯蔵領域とからなっているディスクから光学信号の形にピックアップし、この光学信号からデータが抽出される。RF AMP２３０は光学信号を電気的信号に変換させ、サーボ機能を行うためのサーボ信号と変調されたデータを抽出する。DSP２２０はRF AMP２３０から供給される変調されたデータを変調する時に使用した変調体系に対応して復調し、ECCを行ってエラーを修正し、付加データを除去する。サーボ部２５０はRF AMP２３０とシステムコントローラ２６０からサーボ制御に必要な情報を受信してサーボ機能を安定に行う。AVコデック及び/またはホストインターフェース２１０はDSP２２０から供給される圧縮されたA/Vデータを復号化してA/V信号を出力する。使用者とインターフェースするシステムコントローラ２６０はピックアップ部２４０のターンテーブル上に装着されたハイブリッドディスクから、及びハイブリッドディスク上に情報データを再生及び記録するための全体システムを制御する。
【００６３】
一方、複合ディスクの場合、既存の規格によってDVD-ROM規格に準じる再生が可能な貯蔵領域とDVD-RAM規格に準じる記録可能な貯蔵領域を有するために基準線速度が異なるという問題点を有している。しかし、記録可能な貯蔵領域は基準線速度の変更が記録特性の変化をもたらすためにデータが記録されないなどの深刻な問題を引き起こすが、再生専用貯蔵領域を再生する場合には、既存のDVD-ROM用の高倍速の再生装置のように再生速度に変化を与えても問題を引き起こさずに再生しうる。
【００６４】
したがって、再生専用貯蔵領域と記録可能な貯蔵領域とを繰り返して交互に再生または記録動作を行う記録/再生装置のサーボ部１５０では再生専用貯蔵領域の再生基準線速度を記録可能な貯蔵領域の最内周の基準線速度に合せて再生することが望ましい。
【符号の説明】
【００６５】
４０  ハイブリッドディスク
４４  再生専用貯蔵領域
４６  第１記録層
５０  貯蔵領域
５２  第１基板
【図１】
2010231882.tif 000003
【図２】
2010231882.tif 000004
【図３】
2010231882.tif 000005
【図４】
2010231882.tif 000006
【図５】
2010231882.tif 000007
【図６】
2010231882.tif 000008
【図７】
2010231882.tif 000009
【図８】
2010231882.tif 000010
【図９】
2010231882.tif 000011
【図１０】
2010231882.tif 000012
【図１１】
2010231882.tif 000013
【図１２】
2010231882.tif 000014
【図１３】
2010231882.tif 000015
【図１４】
2010231882.tif 000016